(57)【特許請求の範囲】
【請求項１】
印刷版の画像データである刷版データに対して、ベタ部分の画素についてはベタのインキ必要量を補正する係数Ｋ１を乗算した値に置き換えることにより、ベタ部分と非ベタ部分との印刷時におけるインキ必要量の差異に応じた補正を行ない、ベタ補正済刷版データを得るベタ補正手段と、
前記ベタ補正済刷版データから、印刷機におけるインキキーの各々に対応する帯状領域ｍｋに属する画素の総和を（最大画素値×画素数）で除算することにより、前記帯状領域ｍｋにおける調整データを演算する調整データ演算手段と、
前記帯状領域ｍｋにおける調整データに対して、用紙の種類によるインキ必要量を補正する係数ＳＡを乗算し、帯状領域ｍｋにおける用紙の種類を考慮した調整データを得る用紙補正手段と、
を有することを特徴とするインキ量調整データ演算装置。
【発明の詳細な説明】
【０００１】
【発明の属する技術分野】
本発明は、印刷機におけるインキキーの開度をプリセットする技術分野に属する。特に、刷版データから印刷機における各インキキーのインキ必要量に相当する調整データを得るための装置に関する。
【０００２】
【従来技術】
オフセット印刷機等の印刷機は、印刷方向（ウェブの移送方向；天地方向）に対して直角方向（幅方向；左右方向）におけるインキ供給量の分布を調節するためのインキキーを有する。インキ供給量の分布を調節することにより、印刷における絵柄面積の大きい部分にはインキ供給量を多く、小さい部分には少なくすることができ、適正な印刷を行なうことができる。
【０００３】
従来は、印刷版を光学的に走査してその反射率から絵柄面積率の分布、すなわち各インキキーに対応する絵柄面積率が計測される。また、近年は、印刷版の絵柄に対応する刷版データ、たとえばダイレクト刷版における刷版データから各インキキーに対応する絵柄面積率が導出される。そして、その絵柄面積率に基づいて印刷機におけるインキキーの開度がプリセットされる。印刷開始後には、オペレータが印刷品質を確認しながら、プリセットされたインキキーの追い込み調整をする。これにより適正な印刷物を短時間に得ることができる。
【０００４】
【発明が解決しようとする課題】
絵柄面積の大きい部分はインキ必要量が多く、小さい部分はインキ必要量が少ないのであるが、絵柄面積率とインキ必要量との関係は単純な比例関数とはならず、厳密には非線型関数となっている。たとえば、５０％の平網部分（非ベタ部分）に対するベタ部分（１００％の網点）のインキ必要量は、単純な比例関数を適用すれば２倍である。しかし、実際のインキ必要量は２倍よりも多くなる。また、印刷用紙の種類によってもインキ必要量は相違する。たとえば、マット紙における５０％の平網部分のインキ必要量は、グロス紙における５０％の平網部分のインキ必要量よりも多くなる。
【０００５】
ところが従来のシステムにおいては、インキ必要量が絵柄面積率に比例することと、インキ必要量が印刷用紙の種類に係わらないものと見なした近似値によりプリセットが行なわれている。そのため、プリセットだけでは十分な精度でインキキーの開度を確定することができず、オペレータによる追い込み調整が不可欠であった。
【０００６】
本発明は上記の問題を解決するためになされたものである。その目的は、インキキーの開度のプリセットにおける精度を高め、プリセット後の追い込み調整を無くすか調整時間を減縮し、適正な印刷物をより短時間に得られようにすることにある。そして、その目的を達成するためのインキ量調整データ演算装置を提供することにある。
【０００７】
【課題を解決するための手段】
上記課題は下記の本発明によって解決される。すなわち、本発明の請求項１に係るインキ量調整データ演算装置は、印刷版の画像データである刷版データに対して、ベタ部分の画素についてはベタのインキ必要量を補正する係数Ｋ１を乗算した値に置き換えることにより、ベタ部分と非ベタ部分との印刷時におけるインキ必要量の差異に応じた補正を行ない、ベタ補正済刷版データを得るベタ補正手段と、前記ベタ補正済刷版データから、印刷機におけるインキキーの各々に対応する帯状領域ｍｋに属する画素の総和を（最大画素値×画素数）で除算することにより、前記帯状領域ｍｋにおける調整データを演算する調整データ演算手段と、前記帯状領域ｍｋにおける調整データに対して、用紙の種類によるインキ必要量を補正する係数ＳＡを乗算し、帯状領域ｍｋにおける用紙の種類を考慮した調整データを得る用紙補正手段と、を有するようにしたものである。
【０００８】
本発明よれば、ベタ補正手段により、印刷版の画像データである刷版データに対して、ベタ部分の画素についてはベタのインキ必要量を補正する係数Ｋ１を乗算した値に置き換えられ、ベタ部分と非ベタ部分との印刷時におけるインキ必要量の差異に応じた補正が行なわれ、ベタ補正済刷版データが得られ、調整データ演算手段により、前記ベタ補正済刷版データから、印刷機におけるインキキーの各々に対応する帯状領域ｍｋに属する画素の総和を（最大画素値×画素数）で除算することにより、前記帯状領域ｍｋにおける調整データが演算され、用紙補正手段により、前記帯状領域ｍｋにおける調整データに対して、用紙の種類によるインキ必要量を補正する係数ＳＡを乗算し、帯状領域ｍｋにおける用紙の種類を慮した調整データが得られる。したがって、ベタ部分と非ベタ部分との印刷時におけるインキ必要量の差異に応じた補正と、印刷用紙による印刷時におけるインキ必要量の差異に応じた補正とが行なわれることによってインキキーの開度のプリセットにおける精度が高められ、プリセット後の追い込み調整を無くすか調整時間を減縮し、適正な印刷物をより短時間に得られようにすることができるインキ量調整データ演算装置が提供される。
【００１３】
【発明の実施の形態】
次に、本発明について実施の形態を説明する。本発明のインキ量調整データ演算装置と、それに直接係わりのある装置等について構成の一例を図１に示す。図１において、１は製版データ、２は面付けシステム、３，１１は記憶装置（ハードディスク）、４，１０は入力装置、５はＲＩＰ（raster image processor）、６はダイレクト刷版機、７はフィルム出力機、８は殖版機、９は演算部、１２はメディア書込装置、１３は印刷機である。
【００１４】
製版データ１は、１ページ単位、または見開きページ単位のデータである。製版工程においては、文字、図柄、写真、等のデータを編集し、たとえば、１ページ単位、または見開きページ単位のデータを得る処理が行なわれる。印刷工程においては、１６ページ、３２ページ単位で印刷が行なわれ、折りユニットにより折丁が得られる。この折丁は連続ページとなる。
【００１５】
面付けシステム２は、製版データ１を入力して、ページの面付け（レイアウト）を行い、複数ページ（４〜３２ページ）のデータであるレイアウトデータを生成する処理を行なう。このときの面付け仕様は、品目の設計時に入力したデータを記憶装置３に格納しておき、そのデータを読み込むようにする。または、面付けシステム２の入力装置４から、その都度、入力するようにしてもよい。このレイアウトデータは、印刷色数だけ存在する印刷版の各々の画像と対応関係のあるデータである。レイアウトデータは、たとえば、ポストスクリプト（Post Script）等の中間ファイルフォーマットのデータである。レイアウトデータは、ＲＩＰ５に出力される。
【００１６】
ＲＩＰ５は、そのレイアウトデータを入力しラスターイメージデータに変換する装置である。ラスターイメージデータは、多階調（たとえば、画素値が８ビット）の印刷色別の画像データである。ここでは、このラスターイメージデータのことを刷版データとも呼ぶ。
【００１７】
ダイレクト刷版機６は、ドットジェネレータ、版材露光部、現像部、等から成る。ドットジェネレータはラスターイメージデータ（刷版データ）を入力し網点を構成するドットデータを生成する。版材露光部はドットデータを入力し感光性の版材にレーザー光線を用いてドットを露光する。現像部はその露光済みの版材を現像する。こうして得られる印刷版には網点による画像が形成されている。
【００１８】
フィルム出力機７は、ドットジェネレータ、フィルム露光部、現像部、等から成る。ドットジェネレータはラスターイメージデータを入力し網点を構成するドットデータを生成する。フィルム露光部はドットデータを入力し感光性のフィルムにレーザー光線を用いてドットを露光する。現像部はその露光済みのフィルムを現像する。このときのラスターイメージデータは、通常は、印刷版の画像の一部（１ページ分、全ページ数の半分、等）を構成する画像データであり、フィルムにもそれに相当する画像が形成されている。
【００１９】
殖版機８は、そのフィルムを感光性の版材にレイアウトして密着露光する。印刷版の画像における全ページ数分の密着露光を済ませると、その露光済みの版材を現像する。こうして得られる印刷版には網点による画像が形成されている。
【００２０】
印刷機１３は、その印刷版を用いて印刷用紙に印刷を行ない印刷物を生産する。そのとき、印刷機１３のインキ装置におけるインキキーの開度の調整が行なわれる。インキキーは、インキ壷においてインキを出す間隙、すなわちインキ出しローラとインキブレードとの間隙を調整するための調整手段である。この間隙の調整によりインキ出しローラの表面におけるインキ被膜厚が調整される。その結果、インキ呼出しローラによってインキ出しローラからインキ練りローラへと転移するインキの量を調節することができる。
【００２１】
このインキキーの開度は、開度データに基づいて自動調整することができる。また、印刷機のオペレータによってマニュアル調整することもできる。通常、自動調整は印刷開始前のインキプリセットとして行なわれ、マニュアル調整は、印刷中における追い込み調整として行なわれる。
【００２２】
演算部９は、本発明のインキ量調整データ演算装置においてデータ演算を行なう主要な部分である。図１に示す一例において、インキ量調整データ演算装置は、演算部９、入力装置１０、記憶装置１１、メディア書込装置１２、等により構成される。すなわち、本発明のインキ量調整データ演算装置は、パーソナルコンピュータ等のデータ処理装置のハードウェアとソフトウェアによって構成することができる。
【００２３】
演算部９は、ＲＩＰ５が出力するラスターイメージデータ（刷版データ）を入力する。そして、印刷予定の印刷機における各インキキーに対応する分布データとしての調整データを算出する。この調整データは、たとえば従来のインキプリセットシステムや刷版絵柄面積率計における絵柄面積率である。ここでは、「絵柄面積率」とともに、より広い内容を含む「調整データ」を用いる。
【００２４】
また、演算部９は、調整データからインキキーの開度データを演算する。この開度データは、印刷機におけるインキキーの開度を自動調整する手段に、そのまま入力して自動調整を行なうためのデータである。たとえば、開度データは、インキキーの回転角度、開度の目盛りに対応する数値、開度％等のデータ、またはそれらへの変換機能を有する自動調整手段であれば絵柄面積率そのものである。
【００２５】
この演算部９が調整データを算出するとき、実際に印刷が行なわれる印刷機の版サイズや、印刷方向およびインキキーサイズ、等の情報を必要とする。また、インキキー開度を算出するときには、さらに、実際に印刷が行なわれる印刷用紙の種類、調整データと開度データの関数または調整データと開度データを対応させた変換データ、等の情報を必要とする。
【００２６】
それらの情報は、記憶装置１１に格納しておく。たとえば、前述のレイアウトデータを生成する処理を行なうときの面付け仕様、品目の設計時に入力したデータが格納されている記憶装置３からデータ転送する等により記憶装置１１に格納しておく。インキキー開度を算出するとき、演算部９がその情報を読み込むようにする。または、演算部９の入力装置１０から、その都度、入力するようにしてもよい。
【００２７】
メディア書込装置１２は、たとえば、フロッピーディスク装置、光磁気ディスク（ＭＯ）装置、等の装置である。メディア書込装置１２は、演算部９によって算出された開度データ、等を印刷機１３へ渡すための装置である。図１に示す一例においては、携帯可能な媒体（メディア）によりデータを渡す構成が示してあるが、ＬＡＮ（local area network）等の通信回線を使用してデータ転送を行ってもよい。
【００２８】
次に、本発明のインキ量調整データ演算装置（の演算部９）における、刷版データからインキ量調整データ（単に「調整データ」と呼ぶ）を演算する処理について説明する。刷版データは印刷版に対応する画像データである。その画像を絵図として図２に示す。図２に示すように、Ｙ方向を印刷方向とすると、図２におけるｍ１，ｍ２，ｍ３，・・・，ｍｎのＹ方向に伸びる帯状領域の各々が、１番目〜ｎ番目のインキキーの各々に対応する（ｎはインキキーの総数）。帯状領域の幅とインキキーが調節する幅とは一致している。したがって、任意の帯状領域ｍｋ（１≦ｋ≦ｎ）の刷版データによってｍｋ番目のインキキーの調整データを演算する。
【００２９】
刷版データは画像データであり画像は画素の集合であるから、この帯状領域は画素の集合である。帯状領域が画素で構成されていることを絵図として図３に示す。たとえば、刷版データが８ビットの階調を有する画像データであれば、各々の画素は０〜２５５のいずれかの値を有する。ある画素の画素値が２５５であれば、網点に変換したときには、その画素の部分の網点％は１００％となり、他のある画素の画素値が０であれば、その画素の部分の網点％は０％となる。
【００３０】
ここで、同一絵柄面積率におけるベタ部分（網点１００％）と平網部分におけるインキ必要量の相違について説明しておく。印刷版と帯状領域の一例を図４に示す。図４において▲１▼〜▲９▼はインキキーに対応する帯状領域である。そして、帯状領域▲１▼は領域面積の２０％がベタ、領域面積の８０％は白（網点％が０％）である。また、帯状領域▲２▼は領域面積の１０％がベタ、領域面積の９０％は１１．１％の平網である。また、帯状領域▲３▼は領域面積の１００％が２０％の平網である。また、帯状領域▲４▼は領域面積の４０％がベタ、領域面積の６０％が白である。また、帯状領域▲５▼は領域面積の２０％がベタ、領域面積の８０％が２５％の平網である。また、帯状領域▲６▼は領域面積の１００％がが４０％の平網である。また、帯状領域▲７▼は領域面積の６０％がベタ、領域面積の４０％が白である。また、帯状領域▲８▼は領域面積の３０％がベタ、領域面積の７０％が４２．９％の平網である。また、帯状領域▲９▼は領域面積の１００％が６０％の平網である。
【００３１】
図４に一例を示す印刷版においては、帯状領域▲１▼，▲２▼，▲３▼の各々は絵柄面積率が同一の２０％である。また、帯状領域▲４▼，▲５▼，▲６▼の各々は絵柄面積率が同一の４０％である。また、帯状領域▲７▼，▲８▼，▲９▼は絵柄面積率が同一の６０％である。しかし、このように絵柄面積率が同一であっても、厳密にはインキ必要量が相違している。絵柄面積率とキー開度％（インキ必要量）との関係について、▲１▼絵柄がベタ、▲２▼絵柄が平網、▲３▼絵柄がベタと平網を含む、の３つに分けてグラフとして図５に示す。図５は実測データである。図５に示すように、絵柄面積率が同一であっても、▲１▼絵柄がベタ、▲２▼絵柄が平網、▲３▼絵柄がベタと平網を含む、の３つによってキー開度％（インキ必要量）が相違していることが判る。
【００３２】
このような実測データに基づいて、同一絵柄面積率であるベタと平網のインキ必要量の係数を導出し、その係数をＫ１とする。これにより、（ベタのインキ必要量）×Ｋ１＝（平網のインキ必要量）、という式を記述することができる。この係数Ｋ１を用いることにより、図２に示すｋ番目の帯状領域ｍｋにおけるインキ必要量、すなわち帯状領域ｍｋにおける（ベタと平網の相違を考慮した本発明の）調整データを演算する。
【００３３】
次に、その演算方法について説明する。刷版サイズ、画線部サイズ、等の情報から刷版データにおける帯状領域ｍｋに属する画素をＧ１，Ｇ２，Ｇ３，・・・，Ｇｍとする（図３参照）。帯状領域ｍｋにおける調整データは、（調整データ）＝（ＩＦ（Ｇ１＝２５５，”Ｇ１×Ｋ１”，”Ｇ１”）＋ＩＦ（Ｇ２＝２５５，”Ｇ２×Ｋ１”，”Ｇ２”）＋ＩＦ（Ｇ３＝２５５，”Ｇ３×Ｋ１”，”Ｇ３”）＋・・・＋ＩＦ（Ｇｍ＝２５５，”Ｇｍ×Ｋ１”，”Ｇｍ”））／（２５５×ｍ）、によって演算される。すなわち、ベタの画素については係数Ｋ１を乗算した値に置き換えてすべての画素値の総和を演算し、その総和を（２５５×ｍ）で除算した値を、帯状領域ｍｋにおける調整データとする。
【００３４】
ここで、用紙の種類によるインキ必要量の相違について説明しておく。絵柄面積率とキー開度％（インキ必要量）との関係について、▲１▼マット紙、▲２▼グロス紙、の２つについてグラフとして図６に示す。図６は実測データである。図６に示すように、絵柄面積率が同一であっても、▲１▼マット紙、▲２▼グロス紙、の違いによってキー開度％（インキ必要量）が相違していることが判る。
【００３５】
このような実測データに基づいて、たとえば、グロス紙のインキ必要量を基準としたときの、マット紙のインキ必要量の係数を導出し、その係数をＳ１とする。これにより、（マット紙のインキ必要量）×Ｓ１＝（グロス紙のインキ必要量）、という式を記述することができる。印刷用紙の種類に応じて、この係数Ｓ１,Ｓ２，Ｓ３、・・・を用いることにより、図２に示すｋ番目の帯状領域ｍｋにおけるインキ必要量、すなわち帯状領域ｍｋにおける（印刷用紙の種類を考慮した本発明の）調整データを演算する。
【００３６】
その演算式は、実際の印刷で用いる印刷用紙の係数をＳＡとして、（帯状領域ｍｋにおける印刷用紙の種類を考慮した調整データ）＝ＳＡ×（帯状領域ｍｋにおける調整データ）、と表される。この係数ＳＡを得るための用紙の種類に関する情報は、図１に示す記憶装置１１に格納しておき、演算部９が上記の演算を行なうときにその情報を読み込むようにする。または、演算部９の入力装置１０から、その都度、入力するようにしてもよい。
【００３７】
【発明の効果】
以上のとおりであるから、本発明の請求項１に係るインキ量調整データ演算装置によれば、ベタ部分と非ベタ部分との印刷時におけるインキ必要量の差異に応じた補正と、印刷用紙による印刷時におけるインキ必要量の差異に応じた補正とが行なわれることによってインキキーの開度のプリセットにおける精度が高められ、プリセット後の追い込み調整を無くすか調整時間を減縮し、適正な印刷物をより短時間に得られようにすることができるインキ量調整データ演算装置が提供される。
【図面の簡単な説明】
【図１】本発明のインキ量調整データ演算装置と、それに直接係わりのある装置等について構成の一例を示す図である。
【図２】刷版データを絵図として示す図である。
【図３】帯状領域が画素で構成されていることを示す絵図である。
【図４】印刷版における帯状領域を説明する図である。
【図５】絵柄面積率とキー開度％（インキ必要量）との関係を示すグラフである。
【図６】絵柄面積率とキー開度％（インキ必要量）との関係を示すグラフである。
【符号の説明】
１  製版データ
２  面付けシステム
３，１１  記憶装置（ハードディスク）
４，１０  入力装置
５  ＲＩＰ
６  ダイレクト刷版機
７  フィルム出力機
８  殖版機
９  演算部
１２  メディア書込装置
１３  印刷機
【図１】
0004729788.tif 000002
【図２】
0004729788.tif 000003
【図３】
0004729788.tif 000004
【図４】
0004729788.tif 000005
【図５】
0004729788.tif 000006
【図６】
0004729788.tif 000007